(57)【要約】【課題】外部からの不正アクセスに対する耐性が高く、かつ、使い勝手も良好な引き戸錠の室内側操作装置を提供することを目的とする。【解決手段】室内側引き戸１に取り付けられるケーシング２に移動操作自在に装着され、室外側施錠対象３に形成されたストライク４に係脱する施錠体５を操作するスライド操作部材６と、  ケーシング２に開設され、施解錠いずれかの状態においてスライド操作部材６に表示された状態表示マーク７が対応する透孔８と、  透孔８の近傍においてケーシング２に装着され、施錠位置から解錠位置側へのスライド操作部材６の移動を規制するロック部材９と、を備えて構成する。【選択図】  図２
2006097410.tif 000002
【特許請求の範囲】
【請求項１】
室内側引き戸に取り付けられるケーシングに移動操作自在に装着され、室外側施錠対象に形成されたストライクに係脱する施錠体を操作するスライド操作部材と、
ケーシングに開設され、施解錠いずれかの状態においてスライド操作部材に表示された状態表示マークが対応する透孔と、
透孔の近傍においてケーシングに装着され、施錠位置から解錠位置側へのスライド操作部材の移動を規制するロック部材と、
を備えた引き戸錠の室内側操作装置。
【請求項２】
前記ロック部材はスライド操作部材の操作部と透孔とを結ぶ線分上に配置されるとともに、前記スライド操作部材とロック部材とは引き戸板厚方向に積層状に配置され、かつ、
スライド操作部材とロック部材の各々には、相互に干渉して施錠位置にあるスライド操作部材の解錠位置への移動を規制する規制突部が設けられる請求項１記載の引き戸錠の室内側操作装置。
【請求項３】
前記ロック部材は、スライド操作部材が解錠位置にあるときに、スライド操作部材に対する規制位置側への移動操作が規制される請求項１または２記載の引き戸錠の室内側操作装置。
【請求項４】
前記透孔が、室外側施錠対象側に設けられた位置合わせ孔との連通確認により相互の位置決めを行う組付調整孔を兼用する請求項１、２または３記載の引き戸錠の室内側操作装置。
【発明の詳細な説明】
【技術分野】
【０００１】
本発明は、引き戸錠の室内側操作装置に関するものである。
【背景技術】
【０００２】
引き戸錠としては、従来、特許文献１に記載されたものが知られている。この従来例において、引き戸錠の室内側操作装置は、鎌（施錠体）を施解錠位置に操作するためのスライド操作部材がケーシングに対して摺動自在に装着して形成される。
【０００３】
スライド操作部材の表面には”開”、”閉”の状態表示マークが表示されており、スライド操作部材の施解錠位置によっていずれかがケーシングに開設した透孔から現れる。
さらに、スライド操作部材には、ストッパがスライド操作部材の移動方向に対して直交方向に移動操作可能に装着されており、スライド操作部材が施錠位置にあるときにストッパをケーシングの係合部に係止させることによりスライド操作部材が解錠方向に操作することができなくなる。
【特許文献１】実開昭５６-１４３３６６号公報
【発明の開示】
【発明が解決しようとする課題】
【０００４】
上述した従来例は、施錠状態の表示と施錠時にのみ操作可能なストッパを近接配置することによって、誤ってスライド操作部材が解錠状態にあるときにストッパを操作することを防止することによって、使い勝手が向上するという利点を有するものであるが、反面、ストッパがスライド操作部材上に搭載されているために、外部からの不正解錠操作防止に使用する場合には、信頼性が低くなってしまうという欠点がある。
【０００５】
すなわち、施錠状態で室外側から片手を入れてスライド操作部材を不正操作しようとする場合、ストッパによりスライド操作部材の操作を規制していても、スライド操作部材上を手探りして容易にストッパの存在を外部から知ることができるために、ストッパの機能が十分に機能しないおそれがある。
【０００６】
本発明は、以上の欠点を解消すべくなされたものであって、外部からの不正アクセスに対する耐性が高く、かつ、使い勝手も良好な引き戸錠の室内側操作装置を提供することを目的とする。
【課題を解決するための手段】
【０００７】
本発明によれば上記目的は、
室内側引き戸１に取り付けられるケーシング２に移動操作自在に装着され、室外側施錠対象３に形成されたストライク４に係脱する施錠体５を操作するスライド操作部材６と、
ケーシング２に開設され、施解錠いずれかの状態においてスライド操作部材６に表示された状態表示マーク７が対応する透孔８と、
透孔８の近傍においてケーシング２に装着され、施錠位置から解錠位置側へのスライド操作部材６の移動を規制するロック部材９と、
を備えた引き戸錠の室内側操作装置を提供することにより達成される。
【０００８】
引き戸錠は、スライド操作部材６により操作可能な施錠体５を備えて室内側引き戸１に固定される室内側操作装置Ａと、室外側引き戸、あるいは框等の室外側施錠対象３に固定される室外側部材Ｂとを有して構成され、施錠体５を室外側部材Ｂのストライク４に係脱させることにより施解錠状態を形成する。
【０００９】
ケーシング２に保持されるスライド操作部材６には状態表示マーク７が表示されており、スライド操作部材６の動作位置（施解錠位置）に応じてケーシング２に開設された透孔８から状態表示マーク７が現れて現在の施解錠状態を利用者に知らせ、さらに、施錠状態であるときには、ロック部材９を操作することによりスライド操作部材６への操作を禁止できる。
【００１０】
ロック部材９が透孔８の近傍に配置される本発明において、ロック部材９を操作する際には透孔８によりスライド操作部材６の施解錠状態の確認が極めて容易であり、過って解錠状態でのスライド操作部材６の規制操作を行うことを防止することができ、使い勝手が向上する。また、ロック部材９がケーシング２側に配置されるために、スライド操作部材６を手探りするだけではロック部材９がどこにあるかを容易に知ることができないために、ロック部材９への不正操作が防止される。
【００１１】
ロック部材９は、スライドスイッチとしても、あるいは回転スイッチとしても形成できるが、回転スイッチとして形成すると、回転操作を行うためには、ロック部材９を摘む動作が必要なために、室外から片手を挿入して行うロック部材９への不正操作がより困難になる。
【００１２】
また、ロック部材９は、スライド操作部材６の操作部１０と透孔８とを結ぶ線分上に配置すると、全体の意匠的統一感を取り易くなるが、反面、スライド操作部材６を板状に形成すると、ロック部材９との干渉を防止するための開口を線分上所定長に渡って設ける必要が生じる。開口を設けると、状態表示マーク７を開口領域外に配置することが必要となり、この結果、スライド操作部材６、ロック部材９、および透孔８の間隔が大きくなってしまう。
【００１３】
これに対し、スライド操作部材６とロック部材９とを引き戸板厚方向に積層状に配置し、さらに、スライド操作部材６とロック部材９との対向面に、各々干渉して施錠位置にあるスライド操作部材６の解錠位置への移動を規制する規制突部１１を設けると、寸法に余裕のある引き戸の板厚方向の寸法をスライド操作部材６の挿通領域として利用することができるために、スライド操作部材６にロック部材９との干渉を防止するための開口等を設ける必要がなくなる。この結果、スライド操作部材６、ロック部材９および透孔８の間隔を小さくすることができる。
【００１４】
さらに、ロック部材９は、スライド操作部材６が解錠位置にあるときにスライド操作部材６に対する規制位置側への移動操作が規制される引き戸錠の室内側操作装置Ａを構成すると、解錠状態にあるときに過ってロック部材９を規制位置に移動させてスライド操作部材６による施錠操作ができなくなることを防止することができ、使い勝手が向上する。
【発明の効果】
【００１５】
本発明によれば、外部からの不正アクセスに対する耐性を高めることができる上に、使い勝手も向上させることができる。
【発明を実施するための最良の形態】
【００１６】
図１に示すように、引き戸錠は、紙面に対して直交方向に開閉操作される室内側引き戸１に固定される室内側操作装置Ａと、室外側引き戸、あるいは框等の室外側施錠対象３に固定される室外側部材Ｂとからなる。
【００１７】
室内側操作部１０は、ケーシング２内に施錠体５と、施錠体５を動作させるスライダ１３とを収容して形成される。ケーシング２は、室内側引き戸１に開設した錠取付開口１ａに室内側から嵌合するカバー部１４と、室外側から嵌合するケースボディ１５とをボルト１６により連結して構成される。室内側引き戸１からのケーシング２の脱離を防止するために、カバー部１４とケースボディ１５には、各々室内側引き戸１の表裏面に当接するフランジ１４ａ、１５ａが設けられる。フランジ１４ａ、１５ａと室内側引き戸１との間には、所望により金属、あるいは合成樹脂製のエスカッション（図示せず）が介装される。
【００１８】
施錠体５はフック形状を有してケースボディ１５に連結される。この施錠体５は、枢軸５ａ周りに回転自在であり、図１に示す解錠回転位置と、図３に示す施錠回転位置との間を回転する。施錠回転位置において、施錠体５の係止先端５ｂは室外側部材Ｂのストライク４に係止し、室内側引き戸１と室外側施錠対象３との相対移動を規制する（施錠状態）。
【００１９】
スライダ１３は、図１において上下方向に移動自在なプレート体であり、ケースボディ１５に保持される施錠体駆動ピン１７に連結される。施錠体駆動ピン１７は、ケースボディ１５に開設されたガイド孔１５ｂに沿って移動自在であり、スライダ１３と施錠体駆動ピン１７とは、スライダ１３の移動方向に対して直交方向（横方向）に自由度を有してスライダ１３の移動方向に連結される。
【００２０】
また、ガイド孔１５ｂの上方の終端位置（施錠側終端）には、室内側に屈曲するストッパ部１５ｃが設けられ、図３に示すように、スライダ１３の上方のストローク終端（施錠位置）への移動に伴って、施錠体駆動ピン１７を受容する。
【００２１】
さらに、施錠体駆動ピン１７は、上記施錠体５に開設された長孔５ｃに挿通し、施錠体５に装着されるトーションスプリング１８の一方の脚により室内側に付勢される。トーションスプリング１８は、施錠体５に立設されるスプリング装着軸５ｄに巻装され、上述したように、一方の脚は施錠体駆動ピン１７に係止し、他方の脚は、施錠体５に係止する。
【００２２】
したがってこの実施の形態において、スライダ１３が図１に示す下方ストローク終端（解錠位置）から上方（施錠位置側）に移動すると、長孔５ｃを介して施錠体５には、図１において時計回りの回転力が与えられる。この回転力による施錠体５の回転角度がトーションスプリング１８による反力作用線方向により決定される思案点を超えてさらに施錠回転位置側に回転すると、施錠体５を解錠回転位置側に付勢していたトーションスプリング１８は、施錠体５を施錠回転位置側に付勢し、施錠体５は施錠回転位置側に移動する。
【００２３】
図３に示すように、施錠体５が施錠回転位置に移動した状態で施錠体駆動ピン１７はガイド孔１５ｂのストッパ部１５ｃに落ち込むとともに、トーションスプリング１８により嵌合位置側に付勢されるために、以後、施錠体５に解錠方向のトルクを与えても、施錠体５が回転することはない。
【００２４】
また、スライダ１３には、ケースボディ１５に装着されるピニオン１９に対してラックとして機能するラック孔１３ａが所定ピッチで穿孔される。ピニオン１９は、室外側に開放される操作孔１９ａを有して回転自在に装着され、室外側部材Ｂに組み込まれたシリンダ錠２０により回転駆動される。
【００２５】
室外側部材Ｂは、室外側施錠対象３を挟み付けるようにして固定される室内外ケース半体２１ａ、２１ｂを有し、室内ケース半体２１ａには、施錠体５が係脱する穴状のストライク４が、室外ケース半体２１ｂには、上記シリンダ錠２０が装着される。シリンダ錠２０は、真正な解錠キー２２を挿入した場合にのみシリンダケース２０ａに対してプラグ２０ｂを相対回転させることができるように構成され、室外側施錠対象３の板厚方向に移動可能に保持される。このシリンダ錠２０は、室内側引き戸１によって室内が閉塞された状態でプラグ２０ｂの先端に連結されるピニオン駆動軸２０ｃがピニオン１９の操作孔１９ａに正対する位置に配置され、圧縮スプリング２３により室外側に付勢される。
【００２６】
したがってこの実施の形態において、室内側引き戸１が閉塞状態のときに、図３において鎖線で示すように、プラグ２０ｂに解錠キー２２を挿入した後、シリンダ錠２０を室内側に押し込んでピニオン駆動軸２０ｃをピニオン１９の操作孔１９ａに嵌合させ、次いで、プラグ２０ｂを回転操作すると、ピニオン１９が回転する。ピニオン１９の回転に伴って、スライダ１３はラック孔１３ａを介して上下方向の駆動力を得て上下移動し、施錠体５が動作する。
【００２７】
以上のように、室外側からの施錠体５への操作がシリンダ錠２０により行われるのに対し、室内側からの操作はスライド操作部材６により行われる。スライド操作部材６は、表面側に操作摘み（操作部１０）を突出させた板体で、カバー部１４に対して上下方向移動自在に装着される。カバー部１４の背面には背面プレート２４が固定され、、上記スライド操作部材６は、カバー部１４と背面プレート２４との間に挟み込まれるようにして配置される。カバー部１４には、スライド操作部材６の操作摘み１０を室内に露出させるための操作開口１４ｂが開設される。
【００２８】
このスライド操作部材６の背面にはカバー部１４をケースボディ１５に連結した際にスライダ１３の連結孔１３ｂに嵌合する連結突部６ａが設けられ、スライド操作部材６を操作することによって、スライダ１３を施解錠位置に駆動することができる。
【００２９】
施解錠状態を室内側から確認することができるように、スライド操作部材６には状態表示マーク７が表示され、カバー本体２４には、上記状態表示マーク７を外部から視認させるための透孔８が設けられる。この実施の形態において、状態表示マーク７はスライド操作部材６の室内側表面にカラープレートを貼り付けて形成され、透孔８は、図２（ｂ）、図３に示すように、スライド操作部材６が上方のストローク終端にあるときに状態表示マーク７が対応する位置に配置される。
【００３０】
また、透孔８は、施錠体５が室外側部材Ｂのストライク４に係止可能な位置において室外側部材Ｂの位置合わせ孔１２に重合する。この結果、引き戸錠を取り付けるに際して、室内側引き戸１を閉塞状態とした後、図１に示すように、透孔８から挿入したドライバ（Ｄ）等が位置合わせ孔１２に貫通する位置で引き戸錠を引き戸等に固定すると、双方の操作装置を正確な位置に固定することができる。
【００３１】
したがってこの実施の形態において、図２（ａ）に示すように、スライド操作部材６を下方ストローク終端に位置させた状態が解錠状態に対応する。この状態から操作摘み１０を操作して、図２（ｂ）に示すように、スライド操作部材６を上方ストローク終端まで移動させると施錠状態に移行させることができ、この状態で透孔８には状態表示マーク７が現れ、現在施錠状態であることを利用者に知らせる。
【００３２】
上記スライド操作部材６による解錠操作を規制するために、室内側操作装置Ａにはロック部材９が配置されるとともに、スライド操作部材６には規制突部１１-６が設けられる。ロック部材９は、円形主体部９ａの裏面に突出された回転軸９ｂをカバー部１４に回転自在に挿通させ、止め輪９ｃで抜け止めして装着される。装着状態において、円形主体部９ａがカバー部１４の室内側表面に露出し、円形主体部９ａの表面中心部に突設された摘み部１４ｃを摘んで規制回転位置と規制解除回転位置との間で回転操作を行うことができる。
【００３３】
ロック部材９を規制回転位置と規制解除回転位置とで節度停止させるために、カバー部１４には、ロック部材９に形成したクリック凹部９ｄに嵌合するクリックボール２５が配置される。また、室外からの不正操作を困難にするために、摘み部１４ｃは室内側からの操作が可能な程度に低背に形成される。
【００３４】
このロック部材９は、操作時の施錠状態に対する視認性を考慮して、図２に示すように、透孔８とスライド操作部材６とを結ぶ線分の中間位置に配置される。また、ロック部材９は、図１に示すように、スライド操作部材６に干渉しないように、回転軸９ｂ終端がカバー部１４の背面壁から突出しないように装着される。
【００３５】
さらに、図４に示すように、ロック部材９の円形主体部９ａの裏面には、回転軸９ｂを囲むように規制突部１１-９が突設され、上記スライド操作部材６の規制突部１１-６は、カバー部１４に開設された長孔状開口１４ｄを貫通して上記ロック部材９側の規制突部１１-９が干渉可能な位置に露出する。ロック部材９の規制突部１１は、図４（ｃ）に示すように、ロック部材９が規制回転位置にあるときにはスライド操作部材６側の規制突部１１-６の進行経路を閉鎖してスライド操作部材６の移動を規制する。これに対し、スライド操作部材６側の規制突部１１-６は、図４（ａ）に示すように、ロック部材９が規制解除回転位置にあり、かつ、スライド操作部材６が解錠位置にあるときにロック部材９側の規制突部１１-９の規制回転位置方向への回転経路を閉鎖する。
【００３６】
したがってこの実施の形態において、図２（ａ）に示すように、スライド操作部材６が解錠位置にあるときには、施錠体５もストライク４との係止を解除して室内側引き戸１の開閉操作ができる。解錠状態において、透孔８には、スライド操作部材６が対応しないために、状態表示マーク７も現れることなく、利用者は解錠状態であることを容易に認識することができる。さらに、この状態ではロック部材９は規制回転位置方向への回転が規制されているために、過ってロック部材９を回転操作することもない。
【００３７】
この状態から図に示すように、スライド操作部材６を解錠位置側にスライドさせると、図３に示すように、施錠体５はストライク４に嵌合、係止して室内側引き戸１の開放を規制する。施錠状態への移行は、室外側からのシリンダ錠２０への操作によっても可能であり、この状態では透孔８に状態表示マーク７が現れるために、使用者は現在施錠状態であることを簡単に知ることができる。
【００３８】
また、施錠状態では、図４（ｃ）に示すように、ロック部材９の回転操作が許容されるために、該ロック部材９を規制回転位置側に回転させると、以後、スライド操作部材６およびシリンダ錠２０への操作による解錠操作が不可能となる。
【図面の簡単な説明】
【００３９】
【図１】引き戸錠を示す断面図である。
【図２】図１の室内側からみた正面図で、（ａ）は解錠状態、（ｂ）は施錠状態を示す。
【図３】施錠状態における引き戸錠の断面図である。
【図４】図１の４Ａ-４Ａ線断面図で、（ａ）は解錠状態を示す図、（ｂ）は施錠状態を示す図、（ｃ）は施錠状態でロック部材を規制回転位置に回転させた状態を示す図である。
【符号の説明】
【００４０】
１        室内側引き戸
２        ケーシング
３        室外側施錠対象
４        ストライク
５        施錠体
６        スライド操作部材
７        状態表示マーク
８        透孔
９        ロック部材
１０      操作部
１１      規制突部
１２      位置合わせ孔
【図１】
2006097410.tif 000003
【図２】
2006097410.tif 000004
【図３】
2006097410.tif 000005
【図４】
2006097410.tif 000006